(57)【要約】    【課題】  原画像に忠実なエッジ強調補正をしようとする画像処理方法及び画像処理装置並びにプログラムを提供する。    【解決手段】  多階調の画像データに対して空間フィルタを用いてエッジ強調演算をすることにより、画像のエッジ部のボケを補正する画像処理装置１であって、前記画像データを蓄積する画像メモリ２と、該画像メモリ２から読み出される画像データの周辺に該画像データの端部データを挿入して新たな画像データを生成し、該新たな画像データに対して前記空間フィルタを用いてエッジ強調演算をするエッジ強調処理部３とを備えたものである。【選択図】      図１
2006094160.tif 000002
【特許請求の範囲】
【請求項１】
多階調の画像データに対して空間フィルタを用いてエッジ強調演算をすることにより、画像のエッジ部のボケを補正する画像処理方法であって、
前記画像データの周辺に、前記エッジ強調演算を行うために前記画像データの端部データを挿入して新たな画像データを生成し、
該新たな画像データに対して前記空間フィルタを用いてエッジ強調演算を実行することを特徴とする画像処理方法。
【請求項２】
前記画像データの周辺への該画像データの端部データの挿入は、前記端部データを複写して行うことを特徴とする請求項１記載の画像処理方法。
【請求項３】
多階調の画像データに対して空間フィルタを用いてエッジ強調演算をすることにより、画像のエッジ部のボケを補正する画像処理装置であって、
前記画像データを蓄積する記憶手段と、
該記憶手段から読み出される画像データの周辺に該画像データの端部データを挿入して新たな画像データを生成し、該新たな画像データに対して前記空間フィルタを用いてエッジ強調演算をするエッジ強調処理部と、
を備えたことを特徴とする画像処理装置。
【請求項４】
前記エッジ強調処理部は、前記記憶手段から順次読み出される画像データを保持する複数のラインバッファメモリと、該複数のラインバッファメモリからそれぞれ出力するデータを保持する複数のシフトレジスタと、該複数のシフトレジスタから順次出力するデータに対して前記空間フィルタを用いてエッジ強調演算を行うエッジ強調演算部とを備えたことを特徴とする請求項３記載の画像処理装置。
【請求項５】
前記エッジ強調処理部は、前記空間フィルタがｋ×ｋ（ｋは奇数）のパラメータを有するものであるとき、ｋ個のラインバッファメモリと、ｋ個のデータを保存可能なｋ個のシフトレジスタとを備え、前記記憶手段から前記ラインバッファメモリに前記画像データの最初の列及び最後の列のデータを（ｋ＋１）／２回繰返して入力すると共に、前記ラインバッファメモリから前記シフトレジスタに前記画像データの最初の行及び最後の行のデータを（ｋ＋１）／２回繰返して出力するようにしたことを特徴とする請求項４記載の画像処理装置。
【請求項６】
多階調の画像データに対して空間フィルタを用いてエッジ強調演算をさせることにより、画像のエッジ部のボケを補正するための画像処理プログラムであって、
前記画像データの周辺に前記エッジ強調演算を行うために必要なデータを挿入する所定のデータ領域を確保する手順と、
該データ領域に前記画像データの端部データを挿入して新たな画像データを生成する手順と、
該新たな画像データに対して前記空間フィルタを用いてエッジ強調演算をする手順と、を実行させるための画像処理プログラム。
【請求項７】
前記画像データの周辺への該画像データの端部データの挿入は、前記端部データを複写して行うことを特徴とする請求項６記載の画像処理プログラム。
【発明の詳細な説明】
【技術分野】
【０００１】
本発明は、画像のエッジ部のボケを補正する画像処理方法及び画像処理装置並びにプログラムに関し、詳しくは、画像データの周辺に該画像データの端部データを挿入して空間フィルタを用いたエッジ強調演算をすることによって、原画像に忠実なエッジ強調を行う画像処理方法及び画像処理装置並びに画像処理プログラムに係るものである。
【背景技術】
【０００２】
画像のエッジ部のボケ補正は、一般に、多階調の画像データに対して２階微分特性を持つ空間フィルタを用いてエッジ強調演算をすることにより行われる。この場合、例えば図１１（ａ）に示すように、画像左上端部のデータＸ11に対して図１２に示すような空間フィルタを使用してエッジ強調を行おうとしたときには、画像周辺に五つのデータが不足しているためにエッジ強調の演算を実行することができない。そこで、図１１（ｂ）に示すように画像データ周辺に固定データＫを挿入する方法が考えられる（例えば、特許文献１参照）。
【特許文献１】特開２００３−３４８３２１号公報（第２頁）
【発明の開示】
【発明が解決しようとする課題】
【０００３】
しかし、このような画像データ周辺に固定データＫを挿入する方法においては、画像の端部データと固定データＫとの間に階調差が生じる場合があり、このような場合にエッジ強調補正を行うと画像の端部に沿って擬似的な線が発生して画像の品位を低下させる虞があった。
【０００４】
そこで、本発明は、このような問題点に対処し、原画像に忠実なエッジ強調を行う画像処理方法及び画像処理装置並びに画像処理プログラムを提供することを目的とする。
【課題を解決するための手段】
【０００５】
上記目的を達成するために、本発明による画像処理方法は、多階調の画像データに対して空間フィルタを用いてエッジ強調演算をすることにより、画像のエッジ部のボケを補正する画像処理方法であって、前記画像データの周辺に、前記エッジ強調演算を行うために前記画像データの端部データを挿入して新たな画像データを生成し、該新たな画像データに対して前記空間フィルタを用いてエッジ強調演算を実行するものである。
【０００６】
このような方法により、画像データの周辺に該画像データの端部データを挿入して新たな画像データを生成し、該新たな画像データに対して空間フィルタを用いてエッジ強調演算を実行する。これにより、画像データの端部データと画像データの周辺に挿入されたデータとの間に階調差をなくし、原画像に忠実なエッジ強調を行う。
【０００７】
また、本発明による画像処理装置は、多階調の画像データに対して空間フィルタを用いてエッジ強調演算をすることにより、画像のエッジ部のボケを補正する画像処理装置であって、前記画像データを蓄積する記憶手段と、該記憶手段から読み出される画像データの周辺に該画像データの端部データを挿入して新たな画像データを生成し、該新たな画像データに対して前記空間フィルタを用いてエッジ強調演算をするエッジ強調処理部とを備えたものである。
【０００８】
このような構成により、記憶手段に画像データを蓄積し、エッジ強調処理部で記憶手段から読み出される画像データの周辺に該画像データの端部データを挿入して新たな画像データを生成し、該新たな画像データに対して空間フィルタを用いてエッジ強調演算をする。
【０００９】
そして、本発明による画像処理プログラムは、多階調の画像データに対して空間フィルタを用いてエッジ強調演算をさせることにより、画像のエッジ部のボケを補正するための画像処理プログラムであって、前記画像データの周辺に前記エッジ強調演算を行うために必要なデータを挿入する所定のデータ領域を確保する手順と、該データ領域に前記画像データの端部データを挿入して新たな画像データを生成する手順と、該新たな画像データに対して前記空間フィルタを用いてエッジ強調演算をする手順とを実行させるためのものである。
【００１０】
これにより、画像データの周辺にエッジ強調演算を行うために必要なデータを挿入する所定のデータ領域を確保させ、データ領域に画像データの端部データを挿入して新たな画像データを生成させ、該新たな画像データに対して空間フィルタを用いてエッジ強調演算を実行させる。
【発明の効果】
【００１１】
請求項１及び３並びに６に係る発明によれば、画像データの周辺に該画像データの端部データを挿入して新たな画像データを生成し、該新たな画像データに対して空間フィルタを用いてエッジ強調演算を実行するようにしたことにより、画像データの端部データと挿入されたデータとの間に階調差をなくすことができる。したがって、エッジ強調を行っても画像の端部に擬似的な線が発生せず、原画像に忠実なエッジ強調を行うことができる。これにより、エッジ強調を行っても画像の品位を低下させることがない。
【００１２】
また、請求項２及び７に係る発明によれば、画像データの周辺への該画像データの端部データの挿入を、上記端部データを複写して行うようにしたことにより、エッジ強調をプログラムによりソフトウェア的に実行することができる。したがって、汎用性が高くなる。
【００１３】
さらに、請求項４に係る発明によれば、記憶手段から順次読み出される画像データを複数のラインバッファメモリに保存し、該複数のラインバッファメモリからそれぞれ出力するデータを複数のシフトレジスタに保持し、該複数のシフトレジスタから出力するデータに対して空間フィルタを用いてエッジ強調演算をするようにしたことにより、エッジ強調をハードウェア的に実行することができる。
【００１４】
そして、請求項５に係る発明によれば、空間フィルタがｋ×ｋ（ｋは奇数）のパラメータを有するものであるとき、エッジ強調演算部にｋ個のラインバッファメモリと、ｋ個のデータを保存可能なｋ個のシフトレジスタとを備え、記憶手段からラインバッファメモリに画像データの最初の列及び最後の列のデータを（ｋ＋１）／２回繰返して入力すると共に、ラインバッファメモリからシフトレジスタに画像データの最初の行及び最後の行のデータを（ｋ＋１）／２回繰返して出力するようにしたことにより、画像データの周辺にエッジ強調演算を行うために必要なデータを挿入することができる。
【発明を実施するための最良の形態】
【００１５】
以下、本発明の実施形態を添付図面に基づいて詳細に説明する。
図１は本発明による画像処理装置の第１の実施形態を示すブロック図である。この画像処理装置１は、多階調の画像データに対して３×３のパラメータを有する空間フィルタを用いてエッジ強調演算をすることにより、画像のエッジ部のボケを補正するもので、記憶手段としての画像メモリ２と、エッジ強調処理部３とを備えている。
【００１６】
上記画像メモリ２は、図２に示すようなｍ行ｎ列の画像データを蓄積するものであり、例えばＵＳＢ等のインターフェース１０により、例えばホストコンピュータから入力される画像データを蓄積するものである。そして、この画像メモリ２に蓄積された画像データは、図１に示すようにメモリコントローラ４によって制御されて一列毎に読み出される。この場合、メモリコントローラ４は、１，１，２，３，…，ｎ−１，ｎ，ｎ列の順で合計（ｎ＋２）回に亘って画像メモリ２からデータを読み出すように制御するようになっている。これにより、図２に示す画像データの周辺にて左右にエッジ強調演算を行うために必要な１列の画像境界データを挿入することができる。このとき、挿入される画像境界データは、左側が読み出された最初の１列目のデータであり、右側が最後のｎ列目のデータであり、共に上記画像データの左右の端部データである。なお、画像メモリ２の出力端には、図１において符号５で示すγ変換部が接続されている。このγ変換部５は、画像の濃度階調の補正やコントラストの改善等を行うものであり、構成上必須の要素ではない。
【００１７】
上記画像メモリ２には、γ変換部５を介してエッジ強調処理部３が接続している。このエッジ強調処理部３は、画像メモリ２から読み出される画像データの周辺に該画像データの端部データを挿入して新たな画像データを生成し、該新たな画像データに対して空間フィルタを用いてエッジ強調演算をするものであり、画像メモリ２から順次読み出される画像データを保持する例えば三つのラインバッファメモリ６Ａ，６Ｂ，６Ｃと、ラインバッファコントローラ７に制御されて三つのラインバッファメモリ６Ａ〜６Ｃからそれぞれ出力する例えば三つのデータを保持する三つの３データシフトレジスタ８Ａ，８Ｂ，８Ｃと、該三つの３データシフトレジスタ８Ａ〜８Ｃから順次出力する３×３個のデータに対して、例えば図１２に示すような３×３のパラメータを有する空間フィルタを用いてエッジ強調演算を行い、エッジ強調データを出力するエッジ強調演算部９とを備えている。そして、上記三つのラインバッファメモリ６Ａ〜６Ｃには、ラインバッファメモリ６Ｂを基準にして、ラインバッファメモリ６Ａに一つ前の一列のデータが、ラインバッファメモリ６Ｃに一つ後の一列のデータが保持されるようになっている。
【００１８】
この場合、ラインバッファコントローラ７は、図２に示す画像データの周辺にて上下に一行づつの画像境界データを挿入するために、１，１，２，３，…，ｍ−１，ｍ，ｍ行の順で三つのラインバッファメモリ６Ａ〜６Ｃのアドレス操作をして、データを三つの３データシフトレジスタ８Ａ〜８Ｃに出力させる。このアドレス操作により挿入される画像境界データは、上側が出力された最初の１行目のデータであり、下側が最後のｍ行目のデータであり、共に上記画像データの上下の端部データである。
【００１９】
そして、ラインバッファメモリ６Ａ，６Ｂに１列目のデータが、またラインバッファメモリ６Ｃに２列目のデータが入り、さらに三つの３データシフトレジスタ８Ａ〜８Ｃに最初の３×３個のデータが揃ったときから１列目のエッジ強調演算が開始される。
【００２０】
次に、このように構成された第１の実施形態の動作及び画像処理方法について説明する。
先ず、例えばＵＳＢ等のインターフェースにより、例えばホストコンピュータから入力されるＭ行Ｎ列の画像データが画像メモリ２に蓄積される。
【００２１】
次に、画像メモリ２に蓄積された画像データは、メモリコントローラ４に制御されて、画像メモリ２から１，１，２，３，…，ｎ−１，ｎ，ｎ列の順に１列毎に読み出される。そして、読み出された画像データは、γ変換部５において画像の濃度階調やコントラストのγ補正処理が施されてエッジ強調処理部３に入力する。
【００２２】
エッジ強調処理部３においては、入力した画像データが１列毎にラインバッファメモリ６Ａ〜６Ｃに保存される。この場合、最初に入力した１列目のデータがラインバッファメモリ６Ｃに保存される。次に、２番目の入力データとして１列目のデータが再度入力すると、ラインバッファメモリ６Ｃに保存されていた１列目のデータはラインバッファメモリ６Ｂにシフトし、２番目に入力した１列目のデータがラインバッファメモリ６Ｃに保存される。さらに、３番目のデータとして２列目のデータが入力すると、ラインバッファメモリ６Ｂに保存されていた１列目のデータはラインバッファメモリ６Ａに、ラインバッファメモリ６Ｃに保存された１列目のデータはラインバッファメモリ６Ｂにそれぞれシフトし、２列目のデータがラインバッファメモリ６Ｃに入る。このようにして、図３に示すように、ラインバッファメモリ６Ａ，６Ｂに１列目のデータが、ラインバッファメモリ６Ｃに２列目のデータが保存されることになる。
【００２３】
以下同様にして、順次入力される各列のデータが三つのラインバッファメモリ６Ａ〜６Ｃに保存される。例えば、ｉ列目のデータがラインバッファメモリ６Ｂに保存されたときには、ラインバッファメモリ６Ａには、図４に示すように（ｉ−１）列目のデータが保存され、ラインバッファメモリ６Ｃには、（ｉ＋１）列目のデータが保存される。そして、最終的には、図５に示すように、ラインバッファメモリ６Ａに（ｎ−１）列目のデータが、ラインバッファメモリ６Ｂ，６Ｃにそれぞれｎ列目のデータが保存されることになる。
【００２４】
このように、三つのラインバッファメモリ６Ａ〜６Ｃに各列のデータが入っているときにエッジ強調演算が行われる。この場合、先ず、図３に示すように、ラインバッファメモリ６Ａ，６Ｂにそれぞれ１列目のデータが、ラインバッファメモリ６Ｃに２行目のデータが入ると１列目のデータに対するエッジ強調演算が開始される。
【００２５】
具体的には、先ず、ラインバッファコントローラ７に制御されて各ラインバッファメモリ６Ａ〜６Ｃから、１，１，２，３，…，ｍ−１，ｍ，ｍ行の順に各行のデータが３データシフトレジスタ８Ａ〜８Ｃに送られる。この場合、図７に示すように、上記三つの３データシフトレジスタ８Ａ〜８Ｃに３×３個のデータが入ると、これらのデータは、エッジ強調演算部９に送られて図１２に示す３×３の空間フィルタを用いてエッジ強調演算がされる。なお、図７の場合は、最初の３行のデータが３データシフトレジスタ８Ａ〜８Ｃに入った状態を示しており、画像データのＸ11に対してエッジ強調演算が行われる場合を示している。
【００２６】
以下同様にして、画像メモリ２から１列毎にデータを読み出して三つのラインバッファメモリ６Ａ〜６Ｃに保存しながら、同時に該ラインバッファメモリ６Ａ〜６Ｃから三つの３データシフトレジスタ８Ａ〜８Ｃに３×３個のデータを順次送り、エッジ強調演算部９で３×３の空間フィルタを用いてエッジ強調演算を実行することにより、図２に示す画像データの端部データに対するエッジ強調演算を行うことができる。
【００２７】
このように、第１の実施形態によれば、画像データの周辺に該画像データの端部データからなる画像境界データを挿入してエッジ強調演算を行うようにしたことにより、画像データの端部データと画像境界データとの間に階調差をなくすことができる。したがって、エッジ強調補正を行っても画像のエッジに沿って擬似的な線が発生せず、原画像に忠実なエッジ強調補正を行うことができる。これにより、エッジ強調補正を行っても画像の品位を低下させることがない。
【００２８】
なお、第１の実施形態においては、３×３のパラメータを有する空間フィルタを用いた場合について説明したので、画像メモリ２から最初の１列目及び最後のｎ列目のデータ、また三つのラインバッファメモリ６Ａ〜６Ｃから最初の１行目及び最後のｍ行目のデータをそれぞれ２回繰り返して出力するようにしたが、空間フィルタがｋ×ｋ（ｋは奇数）のパラメータを有するものである場合には、エッジ強調処理部３にｋ個のラインバッファメモリと、ｋ個のデータを保存可能なｋ個のシフトレジスタとを備え、画像メモリ２から上記ラインバッファメモリに画像データの最初の列及び最後の列のデータを（ｋ＋１）／２回繰返して入力すると共に、上記ラインバッファメモリから上記シフトレジスタに画像データの最初の行及び最後の行のデータを（ｋ＋１）／２回繰返して出力するようにするとよい。
【００２９】
図８は、本発明による画像処理装置の第２の実施形態を示す概念図である。この第２の実施形態は、画像データの周辺にエッジ強調演算を行うために必要なデータを挿入する所定のデータ領域を確保する手順と、該データ領域に画像データの端部データを挿入して新たな画像データを生成する手順と、該新たな画像データに対して空間フィルタを用いてエッジ強調演算をする手順とを画像処理プログラムの命令により実行するようにしたものであり、例えば外部のホストコンピュータと接続するためのインターフェース１０と、上記プログラムを記録した例えばＲＯＭ１１と、画像データを蓄積する画像メモリ２と、装置全体を統合して制御する制御部１２とを備えていおり、互いにバス１３で接続されている。ここで、制御部１２は、上記プログラムの命令に従って上記各手順を実行処理させる例えばＣＰＵやＤＳＰである。
【００３０】
このように構成した第２の実施形態による画像処理装置に適用される画像処理プログラムの実行手順を、図９のフローチャートを参照して説明する。
先ず、ステップＳ１において、画像メモリ２上にｘ（ｍ＋２，ｎ＋２）のデータ領域を確保する。同時に、演算結果を蓄積するｙ（ｍ，ｎ）のデータ領域を同一又は別の画像メモリ上に確保する。
【００３１】
ステップＳ２においては、画像メモリ２上に確保されたｘ（１，１）〜ｘ（ｍ，ｎ）のデータ領域に、例えばホストコンピュータからインターフェース１０を介して入力したｍ行ｎ列の画像データを蓄積する。
【００３２】
ステップＳ３においては、画像メモリ２に蓄積された画像データのうちｘ（１，１）〜ｘ（１，ｎ）の１行目のデータをｘ（０，１）〜ｘ（０，Ｎ）のデータ領域に複写する。これにより、図６に示す画像データの上端部データに隣接するデータ領域に画像境界データが挿入される。
【００３３】
ステップＳ４においては、画像メモリ２に蓄積された画像データのうちｘ（１，１）のデータをｘ（０，０）のデータ領域に複写する。これにより、図６に示す画像データの左上端部の外側隅部に画像境界データが挿入される。
【００３４】
ステップＳ５においては、画像メモリ２に蓄積された画像データのうちｘ（１，１）〜ｘ（ｍ，１）のデータをｘ（１，０）〜ｘ（ｍ，０）のデータ領域に複写する。これにより、図６に示す画像データの左端部データに隣接するデータ領域に画像境界データが挿入される。
【００３５】
ステップＳ６においては、画像メモリ２に蓄積された画像データのうちｘ（ｍ，１）のデータをｘ（ｍ＋１，０）のデータ領域に複写する。これにより、図６に示す画像データの左下端部の外側隅部に画像境界データが挿入される。
【００３６】
ステップＳ７においては、画像メモリ２に蓄積された画像データのうちｘ（ｍ，１）〜ｘ（ｍ，ｎ）のデータをｘ（ｍ＋１，１）〜ｘ（ｍ＋１，ｎ）のデータ領域に複写する。これにより、図６に示す画像データの下端部データに隣接するデータ領域に画像境界データが挿入される。
【００３７】
ステップＳ８においては、画像メモリ２に蓄積された画像データのうちｘ（ｍ，ｎ）のデータをｘ（ｍ＋１，ｎ＋１）のデータ領域に複写する。これにより、図６に示す画像データの右下端部の外側隅部に画像境界データが挿入される。
【００３８】
ステップＳ９においては、画像メモリ２に蓄積された画像データのうちｘ（１，ｎ）〜ｘ（ｍ，ｎ）のデータをｘ（１，ｎ＋１）〜ｘ（ｍ，ｎ＋１）のデータ領域に複写する。これにより、図６に示す画像データの右端部データに隣接するデータ領域に画像境界データが挿入される。
【００３９】
ステップＳ１０においては、画像メモリ２に蓄積された画像データのうちｘ（１，ｎ）のデータをｘ（０，ｎ＋１）のデータ領域に複写する。これにより、図６に示す画像データの右上端部の外側隅部に画像境界データが挿入される。
以上、ステップＳ３〜ステップＳ１０により、図６に示すように画像データの周辺のデータ領域に該画像データの端部データからなる画像境界データを挿入して新たな画像データを生成する手順が終了する。なお、上記各ステップは、順番を入れ替えてもよい。
【００４０】
次に、ステップＳ１１において、画像メモリ２上のｘ（０，０）〜ｘ（ｍ＋１，ｎ＋１）のデータ領域に蓄積された新たな画像データに対して３×３のパラーメータを有する空間フィルタを用いてエッジ強調演算を実施する。
【００４１】
そして、ステップＳ１２において、上記演算結果を予め画像メモリ上に確保したｙ（ｍ，ｎ）の空間に蓄積する。この場合、ｘ（１，１）のデータ領域に対するエッジ強調演算結果がｙ（０，０）のデータ領域に入り、ｘ（ｍ，ｎ）のデータ領域に対するエッジ強調演算結果がｙ（ｍ−１，ｎ―１）のデータ領域に入ることになる。
【００４２】
このように、第２の実施形態によれば、エッジ強調補正をプログラム処理によりソフトウェア的に実行することができ、汎用性が高くなる。
【００４３】
なお、上記第１及び第２の実施形態においては、画像データの周辺に１行１列のデータ領域を確保し、３×３のパラメータを有する空間フィルタを用いてエッジ強調演算を行う場合について説明したが、これに限られず、例えば図１０に示すように、画像データの周辺に２行２列のデータ領域を確保し、５×５のパラメータを有する空間フィルタを用いてエッジ強調演算を行ってもよい。また、空間フィルタがｋ×ｋ（ｋは奇数）のパラメータを有するときには、画像データの周辺に片側（ｋ−１）／２行又は列のデータ領域を確保するようにするとよい。
【００４４】
また、本発明の画像処理装置は、プリンタやディスプレイ等の映像を扱う各種機器に適用することができる。
【図面の簡単な説明】
【００４５】
【図１】本発明による画像処理装置の第１の実施形態を示すブロック図である。
【図２】画像メモリに蓄積された画像データを示す説明図である。
【図３】上記第１の実施形態において、１列目を演算する際にラインバッファメモリに保存されるデータを示す説明図である。
【図４】上記第１の実施形態において、ｉ列目を演算する際にラインバッファメモリに保存されるデータを示す説明図である。
【図５】上記第１の実施形態において、ｎ列目を演算する際にラインバッファメモリに保存されるデータを示す説明図である。
【図６】上記第１の実施形態において、画像データの周辺に端部データが挿入された状態を示す説明図である。
【図７】上記第１の実施形態において、エッジ強調演算開始時に３データシフトレジスタに保存されたデータを示す説明図である。
【図８】本発明による画像処理装置の第２の実施形態を示すブロック図である。
【図９】上記第２の実施形態による画像処理装置に適用される画像処理プログラムの実行手順を説明するフローチャートである。
【図１０】５×５のパラメータを有する空間フィルタに対応した新たな画像データの例を示す説明図である。
【図１１】従来技術において、エッジ強調演算を行う際に画像データの周辺に挿入されるデータの例を示す説明図である。
【図１２】３×３のパラメータを有する空間フィルタの一般例を示す説明図である。
【符号の説明】
【００４６】
１…画像処理装置
２…画像メモリ（記憶手段）
３…エッジ強調処理部
６Ａ〜６Ｃ…ラインバッファメモリ
８Ａ〜８Ｃ…３データシフトレジスタ（シフトレジスタ）
９…エッジ強調演算部
【図１】
2006094160.tif 000003
【図２】
2006094160.tif 000004
【図３】
2006094160.tif 000005
【図４】
2006094160.tif 000006
【図５】
2006094160.tif 000007
【図６】
2006094160.tif 000008
【図７】
2006094160.tif 000009
【図８】
2006094160.tif 000010
【図９】
2006094160.tif 000011
【図１０】
2006094160.tif 000012
【図１１】
2006094160.tif 000013
【図１２】
2006094160.tif 000014